(57)【要約】      （修正有）【課題】重い上に熱い金型でも容易にして確実に交換することが可能な装置を提供する。【解決手段】床面上を水平方向へ移動可能な台車２と、台車２の上面に装着されて人力により水平回転する回転テーブル４と、回転テーブル４上に敷設された金型搬送台車用のレール５・６と、回転テーブル４に装着され金型搬送台車Ｃ・Ｄを人力を介してレール５・６に沿い牽引する牽引機構７と、を具備したことを特徴とする。【選択図】図１
2005118782.tif 000002
【特許請求の範囲】
【請求項１】
金型を使用する各種の機械に対して金型を交換するための装置であって、
床面上を水平方向へ移動可能な台車と、
この台車の上面に装着されて人力により水平回転する回転テーブルと、
この回転テーブル上に敷設された金型搬送台車用レールと、
前記回転テーブルに装着され前記金型搬送台車を人力を介して前記レールに沿い牽引する牽引機構と、
を具備したことを特徴とする金型交換装置。
【請求項２】
請求項１に記載の金型交換装置において、
前記金型搬送台車用レールを幅が異なる２対以上設けたことを特徴とする金型交換装置。
【請求項３】
請求項１または２に記載の金型交換装置において、
前記台車に、人力を介して台車を駆動可能な駆動機構を装着したことを特徴とする金型交換装置。
【発明の詳細な説明】
【技術分野】
【０００１】
本発明は、金型交換装置に係り、より詳しくはシェル鋳型造型機や金型鋳造機など金型を使用する各種の機械に対して金型の取付け・取外しを行って金型を交換するのに好適な装置に関する。      
【背景技術】
【０００２】
従来、例えば、シェル中子造型機における金型の交換は、金型をホイストあるいはフォークリフトを用いて金型交換台車上に載せてシェル中子造型機の金型取付け位置に搬入し、その後適宜の慣用手段により作業者が手作業で金型をシェル中子造型機に取り付け、そして、上述の逆の作業により金型をシェル中子造型機から取り外す方法によって行っていた。
【０００３】
しかし、このような従来の金型交換方法では、金型交換台車がシェル中子造型機に対して専用機であるため、数種類のシェル中子造型機の金型交換を行う場合には金型交換台車を数種類の複数台を準備する必要があり、しかも、金型は一般に重い上に特に使用直後は熱いため、この金型の交換は作業者にとって非常に厄介であるとともに過酷な重労働となっている。
【発明の開示】
【発明が解決しようとする課題】
【０００４】
本発明は上記の事情に鑑みてなされたもので、その目的は、金型を使用する数種類の機械に対して１種類の金型交換装置によって対応することができ、しかも、重い上に熱い金型でも容易にして確実に交換することが可能な装置を提供することにある。      
【課題を解決するための手段】
【０００５】
上記の目的を達成するために本発明の金型交換装置は、金型を使用する各種の機械に対して金型を交換するための装置であって、床面上を水平方向へ移動可能な台車と、この台車の上面に装着されて人力により水平回転する回転テーブルと、この回転テーブル上に敷設された金型搬送台車用レールと、前記回転テーブルに装着され前記金型搬送台車を人力を介して前記レールに沿い牽引する牽引機構と、を具備したことを特徴とする。
【０００６】
例えば、金型を使用する数種類の機械が複数台左右方向へ並んだ２列の機械群のそれぞれの機械に対して金型を交換するに当り、上述の２列の機械群の間に、本発明の金型交換装置を機械群に沿って移動可能に配設して、交換すべき金型を載せた金型搬送台車をレール上に載置した後、金型および金型搬送台車を金型交換装置の台車により金型を取り付ける機械と対向する所要位置に移動させ、続いて、人力によって回転テーブルを水平回転させてレールを、機械における金型取り付け位置の真下にまで延びる既設の金型搬送台車用ガイドレールに向ける。次いで、金型搬送台車用ガイドレールの一部を倒して回転テーブルのレールを金型搬送台車用ガイドレールに接続した後、人力により牽引機構を作動して金型搬送台車および金型を金型取り付け位置の真下に移動させ、その後、適宜の慣用手段により金型を機械に取り付ける。また、金型の機械からの取外しは上述の操作の反対を行う。
【発明の効果】
【０００７】
以上の説明から明らかなように本発明は、金型を使用する各種の機械に対して金型を交換するための装置であって、床面上を水平方向へ移動可能な台車と、この台車の上面に装着されて人力により水平回転する回転テーブルと、この回転テーブル上に敷設された金型搬送台車用レールと、前記回転テーブルに装着され前記金型搬送台車を人力を介して前記レールに沿い牽引する牽引機構と、を具備したから、金型を使用する数種類の機械に対して１種類の金型交換装置によって対応することができ、しかも、重い上に熱い金型でも容易にして確実に交換することが可能になるなどの優れた実用的効果を奏する。        
【発明を実施するための最良の形態】
【０００８】
以下、本発明を適用したシェル中子造型設備について図１〜図４に基づき詳細に説明する。図４に示すように、構造の異なる２種類のシェル中子造型機Ａ・Ｂが複数台左右方向へ適宜の間隔をおいて並びかつ前後方向に所要の間隔をおいて２列配設してある。そして、左右方向へ並んだ２列のシェル中子造型機Ａ・Ｂ群の間の床面上には左右方向へ延びるレールＦが敷設してあり、このレール上には本発明の金型交換装置１が２台左右方向へ移動自在にして設置してある。また、前記レールＦと前記シェル中子造型機Ａ・Ｂのそれぞれとの間には、後述の金型搬送台車Ｃ・Ｄが移動可能なガイドレールＧがレールＦと直交して延びて金型の交換位置に至るようにして配設してあり、前記ガイドレールＧは、後述の回転テーブルが水平回転した際に回転テーブルが干渉しないように前記レールＦ寄り部分が上下方向或いは水平方向へ回動して逃げることができるようになっている。
【０００９】
そして、前記金型交換装置１は、図１〜図３に示すように、前記レールＦ上を移動可能な台車２と、この台車２に装着されて人力を介して台車２を駆動可能な駆動機構３と、前記台車２の上面に装着されて人力により水平回転する回転テーブル４と、この回転テーブル４上に敷設された２対の金型搬送台車用レール５・６と、前記回転テーブル４に装着されて前記レール５・６上に載せられた２種類の金型搬送台車Ｃ・Ｄをそれぞれ人力を介して前記レール５・６に沿い牽引する牽引機構７と、で構成してある。なお、前記金型搬送台車Ｃ・Ｄは、金型本体に一体的に設けられた構造のものと、金型本体に対して分離可能に設けられた構造のものとがある。
【００１０】
また、前記台車２は逆置箱状を成しかつ前記レールＦと係合可能な２対のつば付き車輪８・８を有している。そして、
前記台車２の側壁にはフォークリフトの爪を挿入可能な２個の孔９・９が設けてある（図３参照）。また、前記駆動機構３は、ハンドル１０と、人力によるハンドル１０の回転を前記つば付き車輪８・８に伝動する伝動機構１９とで構成してあって、ハンドル１０の正・逆回転により、前記台車２は図４においてレールＦ上を右方または左方へ移動するようになっている。また、前記回転テーブル４は、平坦状の上面を有する定盤状を成しかつ下面に複数のキャスター１１・１１が、支持軸１２を中心にして環状に装着してあり、この支持軸１２は、前記回転テーブル４の下面中央部に装着してありかつ下方へ伸びて前記台車２に軸受を介して水平回転自在に嵌合してある。
【００１１】
また、前記レール５・６は、２種類のシェル中子造型機Ａ・Ｂの前記ガイドレールＧに対応して幅が相互に異なっており、しかも搬送レベルが前記ガイドレールＧのそれとほぼ同一である。また、前記牽引機構７は、ハンドル１３と、人力によるハンドル１３の回転により回転されて前記金型搬送用台車ＣまたはＤを牽引しかつ両側に多数のローラが軸支された無端ローラチェーン１４と、この無端ローラチェーン１４の一部と前記金型搬送台車ＣまたはＤを連結する連結機構１５と、前記無端ローラチェーン１４を支持・ガイドするガイドレール１６とで構成してあって、前記ハンドル１３の正・逆回転により、前記金型搬送台車ＣまたはＤを前記レール５・６および前記ガイドレールＧに沿って前進または後退させることができるようになっている。そして、前記無端ローラチェーン１４および前記ガイドレール１６は前記回転テーブル４の一側部位置で上下回動自在に枢支してあって、前記台車２の移動時には上方へ立てられるようになっている。
【００１２】
なお、図中符号１７は別途設けられて水平に倒された前記ガイドレール１６を支持する支持部材である。  
【００１３】
次に、２台の金型交換装置１・１を用いて金型を交換する手順について説明する。図４に示すように、まず、左側の金型交換装置１のレール５上に、予め所定温度に加熱した例えばシェル中子造型機Ｂ用の金型を金型搬送台車Ｃに載せて待機しておく。この状態の下に、右側の金型交換装置１によりシェル中子造型機Ｂの使用済みの金型を取り外すべく、右側の金型交換装置１の駆動機構３のハンドル１０を正回転させて、空の金型搬送台車Ｄをレール５上に載せた右側の金型交換装置１を、シェル中子造型機Ｂと対向する所要位置に移動させ、続いて、人力によって回転テーブル４を水平回転させてレール５をシェル中子造型機Ｂに対応するガイドレールＧへ向ける。
【００１４】
次いで、手作業によりガイドレールＧの一部を倒してガイドレールＧをレール５と接続し、続いて、同じく手作業により右側の金型交換装置１における牽引機構７の無端ローラチェーン１４およびガイドレール１６を倒して無端ローラチェーン１４およびガイドレール１６の先方部分をシェル中子造型機Ｂにおける取り外す金型の真下に位置させる。なお、倒されたガイドレール１６は、支持部材１７によって支持される。
【００１５】
次いで、牽引機構７のハンドル１３を正回転させて空の金型搬送台車Ｄを取り外す金型の真下に前進させ、続いて、慣用の手順によりその金型をシェル中子造型機Ｂから取り外して空の金型搬送台車Ｄ上に載せる。次いで、牽引機構７のハンドル１３を逆回転して金型の載った金型搬送台車Ｄをシェル中子造型機Ｂから後退させ、続いて、金型の載った右側の金型交換装置１の駆動機構３のハンドル１０をさらに正回転して、その金型交換装置１をさらに右方へ移動させる。
【００１６】
次いで、待機している左側の金型交換装置１の予熱した金型搭載の金型搬送台車Ｃを、金型を取り外した右側のシェル中子造型機Ｂの金型の真下に、上述の右側の金型交換装置１の操作と同様にして前進させ、続いて、慣用の手順により予熱した金型をシェル中子造型機Ｂに取り付ける。その後、金型搬送台車Ｃが空になった左側の金型交換装置１を上述した右側の金型交換装置１の操作と同様にしてシェル中子造型機Ｂから後退させる。これにより、金型を交換することができる。
【００１７】
なお、上記の実施例では金型交換装置１の移動は駆動機構３によって行っているが、駆動機構３を省略してもよい。 
【図面の簡単な説明】
【００１８】
【図１】本発明の一実施例の平面図である。
【図２】図１のＡ−Ａ矢視図である。
【図３】図１のＢ−Ｂ矢視図であって、本図はＢ−Ｂ矢視図を１８０度回転してある。
【図４】本発明の一実施例を適用したシェル中子造型設備の概略平面図である。
【符号の説明】
【００１９】
１  金型交換装置
２  台車  
４  回転テーブル
５；６  金型搬送台車用レール
７  牽引機構
【図１】
2005118782.tif 000003
【図２】
2005118782.tif 000004
【図３】
2005118782.tif 000005
【図４】
2005118782.tif 000006